(57)【要約】【課題】ステージ構造内における遊技球の挙動態様を多種多様なものとし、もって興趣を向上させるとともに、遊技者に対する視覚効果を高めること。【解決手段】打ち出された遊技球が流下する遊技領域３を有するパチンコ遊技機において、前記遊技領域内に配設され、前記遊技領域を流下する遊技球をステージ構造６内に導入するための導入口１１と、前記導入口から導入された落下部１３まで搬送する連絡通路１２と、当該連絡通路１２によって搬送された遊技球を落下させる落下部１３と、該落下部１３から落下した遊技球が転動する転動面６０と、遊技球をステージから導出する導出口６０ｄを有するステージ構造６を備え、複数の風車１４ａ乃至ｅが、前記ステージ構造６内の、特に前記転動面６０に配設されるパチンコ遊技機。【選択図】図１
2010179055.tif 000002
【特許請求の範囲】
【請求項１】
打ち出された遊技球が流下する遊技領域を有する遊技機において、
前記遊技領域内に配設され、前記遊技領域を流下する遊技球をステージ内に導入するための導入口と、前記導入口から導入された遊技球を落下させる落下部と、該落下部から落下した遊技球が転動する転動面と、遊技球をステージから導出する導出口を有するステージ構造を備え、
風車が、前記ステージ構造内に少なくとも一つ配設されている
ことを特徴とする遊技機。
【請求項２】
請求項１において、
前記風車が前記転動面に配設されている
ことを特徴とする遊技機。
【請求項３】
請求項１または請求項２において、
前記導入口と前記落下部との間に連絡通路が配設されている
ことを特徴とする遊技機。
【請求項４】
請求項２において、
前記転動面が、少なくとも一つの段差部を有する
ことを特徴とする遊技機。
【請求項５】
請求項２ないし請求項４のいずれかにおいて、
前記ステージ構造が、遊技機本体の前面側に開口し、奥行き方向に左側面、右側面、天井面、底面、奥面に囲まれた空間を有する
ことを特徴とする遊技機。
【請求項６】
請求項５において、
前記落下部が、前記ステージ構造の前記左側面または右側面の少なくとも一方に配設されている
ことを特徴とする遊技機。
【請求項７】
請求項５または請求項６において、
前記落下部が、前記ステージ構造の前記奥面に配設されている
ことを特徴とする遊技機。
【請求項８】
請求項５ないし請求項７のいずれかにおいて、
前記落下部が、前記ステージ構造の天井面に配設されている
ことを特徴とする遊技機。
【請求項９】
請求項２において、
前記転動面が、少なくとも一つの斜面によって構成されている
ことを特徴とする遊技機。
【請求項１０】
請求項１ないし請求項９において、
風車が、前記ステージ構造内に複数個配設され、
前記複数の風車の回転を連動させる連動機構を備えた
ことを特徴とする遊技機。
【請求項１１】
請求項１ないし請求項１０において、
前記風車が、所定の一方向にのみ回転可能となるよう構成されている
ことを特徴とする遊技機。
【発明の詳細な説明】
【技術分野】
【０００１】
本発明は、打ち出された遊技球が流下する遊技領域を有する遊技機において、前記遊技領域内に配設され、前記遊技領域を流下する遊技球をステージ内に導入するための導入口と、前記導入口から導入された遊技球を落下させる落下部と、該落下部から落下した遊技球が転動する転動面と、遊技球をステージから導出する導出口を有するステージ構造を備え、風車が、前記ステージ構造内に少なくとも一つ配設される遊技機に関するものである。
【背景技術】
【０００２】
従来よりパチンコ遊技機は、各種入賞口や複数の釘などが配設された遊技球が流下するための遊技領域を備え、遊技者は、当該遊技領域に遊技球を打ち出すことにより遊技を楽しむものであった。
【０００３】
また図２３に示すように、従来のパチンコ遊技機においては、図柄変動表示装置Ｄが遊技盤の略中央部に配設され、さらに当該図柄変動表示装置の下部に遊技球を転動させる転動面Ｔを配設したステージ構造Ｓを備えたものであり、前記遊技領域を流下する遊技球を導入口Ｅからステージ構造内部に導入し、前記ステージ構造の転動面Ｔ上において遊技球を転動させるものであった。
【特許文献１】特開２００１−３１４５７５
【発明の開示】
【発明が解決しようとする課題】
【０００４】
しかしながら上記従来のパチンコ遊技機においては、図２３に示されるように、遊技者が打ち出した遊技球は、まず初めに遊技領域を流下し、次に前記導入口Ｅからステージ構造Ｓ内に導入され前記転動面Ｔに案内されても、当該転動面Ｔ上において左右方向に転がり動くのみで、前記転動面Ｔ上における遊技球の転動態様が単調で興趣に欠けるという問題があった。
【０００５】
そこで本発明者らは、打ち出された遊技球が流下する遊技領域を有する遊技機において、前記遊技領域内に配設され、前記遊技領域を流下する遊技球をステージ内に導入するための導入口と、前記導入口から導入された遊技球を落下させる落下部と、該落下部から落下した遊技球が転動する転動面と、遊技球をステージから導出する導出口を有するステージ構造を備え、前記ステージ構造内に少なくとも一つ配設された風車により、前記ステージ構造内を転動する遊技球の動きおよび方向に変化を与えるという本発明の技術的思想に着眼して、さらに研究開発を重ねた結果、ステージ構造内における遊技球の転動態様を多種多様なものとし、もって興趣を向上させ、さらには遊技者の参加感を高めるという目的を達成する本発明に到達した。
【課題を解決するための手段】
【０００６】
本発明（請求項１に記載の第１発明）の遊技機は、
打ち出された遊技球が流下する遊技領域を有する遊技機において、
前記遊技領域内に配設され、前記遊技領域を流下する遊技球をステージ内に導入するための導入口と、前記導入口から導入された遊技球を落下させる落下部と、該落下部から落下した遊技球が転動する転動面と、遊技球をステージから導出する導出口を有するステージ構造を備え、
風車が、前記ステージ構造内に少なくとも一つ配設されている
ものである。
【０００７】
本発明（請求項２に記載の第２発明）の遊技機は、
前記第１発明において
前記風車が前記転動面に配設されている
ものである。
【０００８】
本発明（請求項３に記載の第３発明）の遊技機は、
前記第１発明または第２発明において、
前記導入口と前記落下部との間に連絡通路が配設されている
ものである。
【０００９】
本発明（請求項４に記載の第４発明）の遊技機は、
前記第２発明において、
前記転動面が、少なくとも一つの段差部を有する
ものである。
【００１０】
本発明（請求項５に記載の第５発明）の遊技機は、
前記第２発明ないし第４発明のいずれかにおいて、
前記ステージ構造が、遊技機本体の前面側に開口し、奥行き方向に左側面、右側面、天井面、底面、奥面に囲まれた空間を有する
ものである。
【００１１】
本発明（請求項６に記載の第６発明）の遊技機は、
前記第５発明において、
前記落下部が、前記ステージ構造の前記左側面または右側面の少なくとも一方に配設されている
ものである。
【００１２】
本発明（請求項７に記載の第７発明）の遊技機は、
前記第５発明または前記第６発明において、
前記落下部が、前記ステージ構造の前記奥面に配設されている
ものである。
【００１３】
本発明（請求項８に記載の第８発明）の遊技機は、
前記第５発明ないし第７発明のいずれかにおいて  
前記落下部が、前記ステージ構造の天井面に配設されている
ものである。
【００１４】
本発明（請求項９に記載の第９発明）の遊技機は、
前記第２発明において、
前記転動面が、少なくとも一つの斜面によって構成されている
ものである。
【００１５】
本発明（請求項１０に記載の第１０発明）の遊技機は、
前記第１発明ないし第９発明において、
風車が、前記ステージ構造内に複数個配設され、
前記複数の風車の回転を連動させる連動機構を備えた
ものである。
【００１６】
本発明（請求項１１に記載の第１１発明）の遊技機は、
前記第１発明ないし第１０発明において、
前記風車が、所定の一方向にのみ回転可能となるよう構成されている
ものである。
【発明の効果】
【００１７】
上記構成より成る第１発明の遊技機は、打ち出された遊技球が流下する遊技領域を有する遊技機において、前記遊技領域内に配設された前記導入口により前記遊技領域を流下する遊技球がステージ内に導入され、前記導入口から導入された遊技球が前記落下部から前記ステージ構造の前記転動面に落下し、当該落下部から落下した遊技球が前記転動面を転動して、遊技球が前記導出口を介してステージから導出する際に、前記ステージ構造内に少なくとも一つ配設された前記風車によって、ステージ構造内を転動する遊技球の動きおよび方向に変化を与えるとともに、風車も回転するため、ステージ構造内における遊技球の挙動態様を多種多様なものとし、もって興趣を向上させるとともに、遊技者に対する視覚効果を高めるという効果を奏する。
【００１８】
上記構成より成る第２発明の遊技機は、前記第１発明において、前記落下部から前記転動面に落下した遊技球が当該転動面を転動する際に、当該転動面に配設された前記風車によって、ステージ構造内における特に前記転動面上を転動する遊技球の動きおよび方向に変化を与えるとともに、風車も回転するため、遊技球の転動態様にバリエーションを持たせ、遊技者の興味を引くという効果を奏する。
【００１９】
上記構成より成る第３発明の遊技機は、前記第１発明または第２発明において、前記導入口から導入された遊技球が、前記落下部までへとつながる連絡通路を介して前記転動面へと導かれるため、当該連絡通路の配設いかんによって、遊技領域を流下する遊技球を前記転動面へ落下させる前記落下部へと様々な態様で導入でき、ステージ構造の設計度の自由度を高めるという効果を奏する。
【００２０】
上記構成より成る第４発明の遊技機は、前記第２発明において、前記転動面が、少なくとも一つの段差部を有するので、風車による遊技球の軌跡の変更のみならず、風車と段差の融合的な働きかけにより、遊技球の挙動を複雑にし、単調感を解消するという効果を奏する。
【００２１】
上記構成より成る第５発明の遊技機は、前記第２発明ないし第４発明のいずれかにおいて、前記導入口から導入された遊技球が、遊技機本体の前面側に開口し、奥行き方向に左側面、右側面、天井面、底面、奥面に囲まれた空間を有する前記ステージ構造内において、遊技領域における遊技球の流下態様とは大きく異なり、上下左右前後方向と立体的に移動するので、遊技球の挙動を複雑ならしめるとともに、前記落下部及び連絡通路をステージ構造内におけるどの場所に配置するかによって、ステージ構造内における遊技球の挙動および転動態様をさらに立体的、多面的なものとし、遊技者に対して斬新な視覚効果を提供することが可能となるという効果を奏する。
【００２２】
上記構成より成る第６発明の遊技機は、前記第５発明において、前記導入口から導入された遊技球が、前記ステージ構造の前記左側面または右側面の少なくとも一方に配設された落下部から落下することにより、連絡通路を介して転動面に直接落下する場合と異なり、転動面のみならずステージ構造内における側面のスペースも活用して、遊技者の視覚に多面的に訴える様々な遊技球の挙動態様を提供することが可能となるとともに、結果としてさらに、当該側面から転動面へと流下してきた遊技球の転動面への導入態様にもバリエーションを持たせることが可能となり、遊技者に対する視覚効果を高めるという効果を奏する。
【００２３】
上記構成より成る第７発明の遊技機は、前記第５発明または前記第６発明において、前記導入口より導入された遊技球が、前記ステージ構造の前記奥面に配設された落下部より落下するので、ステージ構造内においても遊技者の注意が最も注がれる中央部たる奥面において遊技球の挙動態様を効果的にアピールできるとともに、ステージ構造内における遊技球の流下態様にバリエーションを持たせ、結果としてさらに、当該奥面から転動面へと流下してきた遊技球の転動面への導入態様にもバリエーションを持たせることが可能となり、遊技者に対する視覚効果を高めるという効果を奏する。
【００２４】
上記構成より成る第８発明の遊技機は、前記第５発明ないし第７発明のいずれかにおいて、前記導入口より導入された遊技球が、前記ステージ構造の天井面に配設された落下部より落下するので、転動面のみならず、通常デッドスペースとなる天井面をも活用して遊技球の挙動態様を複雑ならしめるとともに、遊技者の視覚に立体的にかつ効果的に訴えかけることが可能となるという効果を奏する。
【００２５】
上記構成より成る第９発明の遊技機は、前記第２発明において、遊技球が、少なくとも一つの斜面によって構成された転動面上を転動するので、遊技球の転動態様に一定の方向性を付与できるとともに、所定の場合を除き最終的にステージ構造から確実に遊技球を遊技領域へと導出することが可能となるという効果を奏する。
【００２６】
上記構成より成る第１０発明の遊技機は、前記第１発明ないし第９発明において、前記連動機構により風車の回転が連動する複数の風車が配設された前記ステージ構造内を遊技球が移動するので、遊技球が接触および回転させた風車のみならず、前記連動機構により当該回転させられた風車と連動している他の風車も回転させることが可能となり、さらに遊技者の興趣を誘うとともに、停止していた自由回転可能な風車に一定の付勢力を付与することが可能となり、結果として遊技球の挙動態様に様々な変化を持たせ単調感を解消するという効果を奏する。
【００２７】
上記構成より成る第１１発明の遊技機は、前記第１発明ないし第１０発明において、所定の一方向にのみ回転可能となるよう構成された風車の存在により、単なる風車の自由回転により移動方向の振り分けが行われる場合と異なり、導入口から導入された遊技球が、ある方向には当該風車が自由回転することによりスムーズに流下する一方、その反対方向に接触した場合には、風車の規制力（一方向のみ回転可能）によって障害物に衝突したかのような挙動を付与されるため、結果として遊技球の挙動態様に様々なバリエーションが生まれ、遊技者の視覚にも意外性を与え単調感を解消するという効果を奏する。
【発明を実施するための最良の形態】
【００２８】
以下、本発明の最良の実施形態について、実施例に基づき図面を用いて説明する。
【実施例１】
【００２９】
本第１実施例のパチンコ遊技機は、図１および図２に示すように、打ち出された遊技球が流下する遊技領域３を有するパチンコ遊技機１において、前記遊技領域３内に配設され、前記遊技領域３を流下する遊技球をステージ構造６内に導入するための導入口１１と、前記導入口１１から導入された遊技球を落下部１３まで搬送する連絡通路１２と、当該連絡通路１２によって搬送された遊技球を落下させる落下部１３と、該落下部１３から落下した遊技球が転動する転動面６０と、遊技球をステージから導出する導出口６０ｅを有するステージ構造６を備え、複数の風車１４ａないし１４ｅが、前記ステージ構造６内の前記転動面６０に配設されているものである。
【００３０】
パチンコ遊技機１は、図２に示すように、遊技盤２を備え、遊技盤２は、遊技者がハンドル４を操作することによって発射された遊技球が流下する遊技領域３を備える。当該遊技領域３の中央部には、様々な図柄等が変動表示される図柄変動表示装置５が配設され、その下部には、始動入賞口７が配設されている。当該始動入賞口７に遊技球が入賞することを契機として遊技制御基板による大当たり抽選が行われる。前記始動入賞口７の下部には、アタッカー８が配設され、当該アタッカー８は、大当たり発生時に所定回数だけ開放状態となり多数の遊技球が入賞するように構成されている。また、前記始動入賞口７上部には、遊技領域３を流下する遊技球を遊技領域３からステージ構造６の内部へ導入させて流下および転動等させるステージ構造６が配設されている。
【００３１】
図１に示すように本第１実施例のステージ構造６は、略矩形の平坦な底面たる転動面６０、左側面６１、右側面６２、天井面６３および前記図柄変動表示装置５が配設される奥面６４によって、前方（遊技者方向）に向かって開口した所定の空間を有する構造となっている。
【００３２】
また遊技球を遊技領域３からステージ構造６０内部へ導入する導入口１１を備え、当該導入口１１から導入された遊技球は、前記連絡通路１２を介して落下部１３から勢いよく前記転動面６０上へ導かれるように構成されている。
【００３３】
当該転動面６０は、全体的に前記奥面６４に近い後方から前方（遊技者方向）へ向かってその高さが緩やかに低くなるように傾斜している奥転動面６０ａと、前記左側面６１に近い転動面左端部から中央部６０ｄへとその高さが緩やかに低くなるように傾斜した左転動面６０ｂと、同じく前記右側面６２に近い転動面右端部から中央部６０ｄへと緩やかに下るように傾斜した右転動面６０ｃとを備えている。
【００３４】
また当該左転動面６０ｂと右転動面６０ｃに挟まれるように、前記始動入賞口７上部付近へ遊技球を導出する導出部６０ｅを備えた中央部６０ｄが配設されている。
【００３５】
さらに前記転動面６０の前記中央部６０ｄおよび奥転動面６０ａ、左転動面６０ｂ、右転動面６０ｃから構成される転動面の各部には、例えば５個の回転自在な風車１４ａないし１４ｅが配設されている。
【００３６】
当該風車１４ａないし１４ｅは、図３に示すように、転動面６０の奥転動面６０ａに２つの風車１４ａおよび１４ｂが配設され、前方（遊技者方向）の左転動面６０ｂ、右転動面６０ｃおよび中央部６０ｄに各１個、合計３個の風車１４ｃないし１４ｅが配設されている。
【００３７】
さらに当該風車１４ａないし１４ｅは、図４に示すように、転動面６０に風車軸１４１が垂直に軸止されることで固定されている。また、風車１４の羽根部１４０ａないし１４０ｃは、前記風車軸１４１に回転自在に軸支された円筒部材１４３の外周面に１２０度間隔で突設された略台形板部材によって構成されている。さらに、当該円筒部材１４３および前記羽根部１４０ａないし１４０ｃの軸方向端部は、表面が装飾され前記転動面６０と平行な正円形の板金１４２の裏面に固設されているため、羽根部１４０ａないし１４０ｃが回転すると、これに伴って一体的に当該板金１４２および前記円筒部材１４３も回転する構成となっている。
【００３８】
以下上記構成より成る本第１実施例のパチンコ遊技機の作用および効果について説明する。
【００３９】
上記構成より成る本第１実施例のパチンコ遊技機において、遊技者がハンドル４を操作して遊技球を発射すると、当該遊技球は、遊技領域３を複雑に流下し、その一部の遊技球が前記導入口１１からステージ構造６内に導かれ、前記連絡通路１２を介して落下部１３から勢いよく転動面６０上に放出される。放出された遊技球は、転動面６０を構成する奥転動面６０ａ、左転動面６０ｂ、右転動面６０ｃおよび中央部６０ｄ上を左右方向または前後方向に転動する。
【００４０】
さらに、当該転動面６０上には、上述したように複数の風車１４ａないし１４ｅが配設されているため、前記転動面６０上を転動する遊技球の多数は、その転動面６０上における転動中にこれらの風車１４ａないし１４ｅの円筒部材１４３に接触または衝突したり、羽根部１４０ａないし１４０ｃに接触または衝突して、風車１４を回転させる。
【００４１】
具体的には図３における遊技球の転動軌跡の一例を示した矢印に示すように、遊技球は、前記円筒部材１４３付近に衝突して大きく跳ね返されたり、前記羽根部材１４０ａないし１４０ｃに衝突して、これらの羽根部材を押しながらまとわりつくように前記風車１４を回転させ、軌道が変更されたりして、前記転動面６０上において結果的に様々な転動態様を呈する。
【００４２】
上記作用を奏する本第１実施例のパチンコ遊技機は、転動面６０に複数の風車１４を配設したので、遊技球が当該風車１４に衝突する際のその衝突対象部材（円筒部材１４３や羽根部材１４０ａないし１４０ｃ等）や、接触または衝突角度および衝突速度等に対応して、前記ステージ構造６内の、特に転動面６０における遊技球の方向および速度の転動態様を多種多様なものとするため、もって興趣を向上し、遊技者に対する視覚効果を高めるという効果を奏する。
【００４３】
また本第１実施例のパチンコ遊技機においては、傾斜面を備えるに過ぎず遊技球の転動態様をほぼ予想し得る従来のパチンコ遊技機に比べ、ただ傾斜面に沿って左右前後方向に遊技球が転動するのみではなく、前記転動面６０が複数の傾斜面によって構成されるとともに、当該転動面６０上に複数の風車１４が配設されていることにより、予想とは異なる遊技球の転動態様を実現し得るため、遊技者に意外性を与え、単調感を解消するという効果を奏する。
【００４４】
さらに本第１実施例のパチンコ遊技機においては、複数の風車１４ａないし１４ｅを奥行き方向および左右方向に分散させて配設したので、遊技球に幅および奥行き感のある動きを持たせ、その転動態様による幅および深みのある演出効果を提供し得るとともに、転動面６０上に複数個遊技球が存在する場合において、これらの遊技球が前記風車１４ａないし１４ｅの存在により互いに接触、衝突したり回転したり様々な有機的な影響を及ぼし合って、結果としてバリエーション豊かな転動態様および視覚効果を実現し得るという効果を奏する。
【実施例２】
【００４５】
本第２実施例のパチンコ遊技機は、図５ないし図７に示すように、落下部１３ａないし１３ｃおよび風車１４ａないし１４ｄを前記ステージ構造６の転動面としての前記左側面６１の上部に配設する点が、上述の第１実施例との主な相違点であり、以下相違点を中心に説明する。
【００４６】
図７に示すように、本第２実施例のパチンコ遊技機においては、落下部１３ａないし１３ｃが、遊技領域３からステージ構造６内に遊技球を導入するための導入口１１から導入された遊技球を前記ステージ構造６の転動面としての左側面６１へと連絡する連絡通路１２の３箇所に配設されているものである。
【００４７】
前記落下部１３ａないし１３ｃの開口は、遊技球１個が通過できる程度のサイズであり、遊技球の直径よりやや大きな直径よりなる円形開口で構成され、連絡通路１２の３箇所において、前記ステージ構造６の内側の左側面６１とその裏面６１０に相当する外側の左側面との間に形成された所定の空間に向かって下方に開口しているものである。
【００４８】
図５および図６に示すように、前記落下部１３ａないし１３ｃ下部には、略正六角形の各辺に相当する複数のクリアーな誘導壁１５０を組み合わせて、前記ステージ構造６の左側面６１とその裏面６１０との間に形成された所定の空間内に亀甲状に分岐するとともに合流する経路を構成し、当該分岐合流経路１５１ないし１５４によって構成される遊技球を誘導するための誘導路１５が形成されている。
【００４９】
また当該誘導路１５上の誘導路を分岐させる分岐点１５ａないし１５ｄには、４個の風車１４ａないし１４ｄが配設されている。当該４個の風車１４ａないし１４ｄは、前記ステージ構造６の左側面６１の裏面６１０に軸止されることで回転自在に固定される。
【００５０】
前記ステージ構造６の左側面６１は、フラットなクリアプレートによって構成されるとともに、前記誘導路１５が、クリアーな誘導壁１５０によって構成されているので、当該風車１４ａないし１４ｄや前記誘導路１５等の内部構造を遊技者が視認できるように構成されている。また、図５および図７に示すように、遊技者が当該内部構造を視認しやすいようにするため、前記左側面６１およびその内部構造等は、ステージ構造６の奥面６４に対して垂直に形成されるのではなく、当該ステージ構造６の奥面６４から前方（遊技者方向）へ向かってハの字状に拡開するように配設されるものである。
【００５１】
さらに当該誘導路１５の最終部位に相当する部分には、前記クリアプレートで構成される左側面６１に開口部を設けることによって、当該誘導路１５によって誘導した遊技球を転動面６０上に排出するための排出口１６ａおよび１６ｂを形成するものである。
【００５２】
本第２実施例のパチンコ遊技機においては、前記ステージ構造６の右側面６２および天井面６３は装飾面等によって構成し、前記奥面６４には、第１実施例のパチンコ遊技機と同様に図柄変動表示装置５が配設される。
【００５３】
以下上記構成より成る本第２実施例のパチンコ遊技機の作用および効果について説明する。
【００５４】
上記構成より成る本第２実施例のパチンコ遊技機において、遊技領域３を複雑に流下している遊技球の一部が、前記導入口１１からステージ構造６内に導入され、前記連絡通路１２を介して前記落下部１３ａないし１３ｃへと導かれる。前記落下部１３ａないし１３ｃの開口は、上述したように、遊技球１個が通過できる程度のサイズに設定されているため、前記連絡通路１２へと導かれた遊技球のうち移動速度の低いものは、早々に落下部１３ａで前記誘導路１５へと落下し、また、残りの遊技球の一部の比較的移動速度の低いものは、前記落下部１３ａを通過して、次の落下部１３ｂで前記誘導路１５へと落下する。さらに、残りの全ての遊技球は、最終的に連絡通路１２の最終地点である落下部１３ｃで前記誘導路１５へと確実に落下することとなる。
【００５５】
前記落下部１３ａないし１３ｃから前記誘導路１５へと落下した遊技球は、複雑に分岐した誘導路１５内を誘導壁１５０によって構成された分岐合流経路１５１ないし１５４に沿って流下し、さらに、前記分岐点１５ａないし１５ｄに誘導された遊技球については、当該分岐点１５ａないし１５ｄに配設された前記風車１４ａないし１４ｄによって当該分岐点１５ａないし１５ｄの下部に左右に分岐した誘導路１５１、１５２のいずれかに適宜振り分けられる。
【００５６】
風車１４ａによって振り分けられ、前記経路１５３または１５４を通過した遊技球は、風車１４ｂないし１４ｄを介して再び分岐することを繰り返して、対応する誘導路の最終部位たる排出口１６ａまたは１６ｂから最終的に前記転動面６０上へと排出される。また、当該転動面６０上に排出された遊技球は、排出口１６ａまたは１６ｂのどちらから排出されたかによって、当該転動面上における遊技球の転動態様が異なることから、その後の始動入賞口への高確率入賞を期待できるかどうかが変化するものである。
【００５７】
上記作用を奏する本第２実施例のパチンコ遊技機は、ステージ構造６の左側面６１に落下部１３ａないし１３ｃを配設したので、当該左側面６１において遊技球の流下の変化態様を楽しむことができるとともに、装飾面たる前記右側面６２および前記天井面６３の装飾や転動面６０における遊技球の転動態様、さらには図柄変動表示装置５が配設された奥面６４における図柄変動態様を楽しむことが出来るので、ステージ構造内の全ての面を有効に活用して無駄なスペースを排除することができるとともに、遊技者の視覚に多面的に訴える様々な遊技球の挙動態様を提供することが可能となり、遊技者に対する視覚効果を高めるという効果を奏する。
【００５８】
また本第２実施例のパチンコ遊技機は、前記ステージ構造内の左側面６１において、前記落下部１３ａないし１３ｃの下部に、複雑に分岐合流するクリアーな経路１５１ないし１５４によって誘導路１５を配設し、当該誘導路１５の分岐点１５ａないし１５ｄに複数の風車１４ａないし１４ｄを配設したので、前記ステージ構造６の左側面６１における遊技球の流下態様を複雑に分岐させてバリエーション豊かにし、また、風車１４ａないし１４ｄも回転して、さらに、遊技球の分岐方向および移動態様を変化させるものであるため遊技者に対する視覚効果を高め、興趣の向上を図ることができるという効果を奏する。
【００５９】
さらに本第２実施例のパチンコ遊技機は、前記誘導路１５内を複雑に分岐合流して誘導された遊技球が前記排出口１６ａまたは１６ｂの単一ではない複数の排出口から前記転動面６０上へと排出されるため、当該転動面６０への遊技球の導入態様にもバリエーションを持たせることが可能となり、例えば、前記転動面６０に対して高確率入賞を狙いやすい経路で排出したり、それ以外の経路で排出したりすることを可能にするとともに、ステージ構造の設定および設計に広がりや自由度を持たせることが可能となるという効果を奏する。
【実施例３】
【００６０】
本第３実施例のパチンコ遊技機は、図８ないし図１０に示すように、前記ステージ構造６の転動面としての奥面６４に落下部１３ａないし１３ｃおよび風車１４ａないし１４ｄを配設した点が上述の第１実施例および第２実施例との主な相違点であり、以下相違点を中心に説明する。
【００６１】
図１０に示すように本第３実施例のパチンコ遊技機においては、落下部１３ａないし１３ｃが、遊技領域３からステージ構造６内に遊技球を導入するためのステージ構造６の左右に配設された導入口１１ａおよび１１ｂから導入された遊技球を前記ステージ構造６の奥面６４へと連絡する連絡通路１２の３箇所に配設されているものである。
【００６２】
また図８に示すように、本第３実施例のパチンコ遊技機においては、ステージ構造６の左右両方向から遊技領域３を流下する遊技球を導入するための導入口１１ａおよび１１ｂを配設するものである。
【００６３】
図１０に示すように前記落下部１３ａないし１３ｃの開口は、第２実施例同様、遊技球１個が通過できる程度のサイズで形成され、また、図８および図９に示すように、当該落下部１３ａないし１３ｃは、左右から遊技球をステージ構造６内部へ導入する前記導入口１１ａおよび１１ｂと連通する連絡通路１２の３箇所において、前記ステージ構造６の奥面６４とその裏面６４０との間に形成された所定の空間に向かって下方に開口しているものである。
【００６４】
ここで前記ステージ構造６の奥面６４およびその裏面６４０は、クリアプレートによって構成され、当該奥面６４の全面に渡って配設された図柄変動表示装置５の液晶表示面５０に表示された図柄等を遊技者が当該奥面６４等を介して視認できるように構成されている。
【００６５】
図８に示すように前記落下部１３ａないし１３ｃ下部には、第２実施例と同様に、複数のクリアーな誘導壁１５０を組み合わせて、前記ステージ構造６の奥面６４とその裏面６４０との間に形成された所定の空間内に複雑に分岐合流した経路１５１ないし１５４を構成し、当該分岐合流経路１５１ないし１５４を用いて遊技球を誘導するための誘導路１５が形成されている。
【００６６】
また当該誘導路１５上の誘導路を分岐させる分岐点１５ａないし１５ｅには、５個の風車１４ａないし１４ｅが配設されているものである。当該５個の風車１４ａないし１４ｅは、前記ステージ構造６の奥面６４の裏面６４０に軸止されることで固定される。
【００６７】
ここで本第３実施例のパチンコ遊技機においては、前記誘導壁１５０および前記風車１４ａないし１４ｅは、それぞれ透光性のある材料で構成され、これらの部材を介しても前記図柄変動表示装置５の液晶表示面５０に表示される図柄等の視認を可能としている。
【００６８】
さらに当該風車１４ａないし１４ｅには図示しないＬＥＤと圧電素子が内蔵され、通過する遊技球によって風車が回転する際に、遊技球の衝突や風車の回転によって圧電素子が発電することによって風車が光輝くように構成されているものである。
【００６９】
また風車１４ａないし１４ｃの下部には、前記分岐合流経路１５１ないし１５４によって囲まれた六角形状の表示領域５０ａないし５０ｃが配設され、当該表示領域５０ａないし５０ｃにおいて、前記図柄変動表示装置５の変動図柄が変動および停止するように構成されているものである。
【００７０】
さらに当該変動図柄が変動、停止している時にタイミング良くそれぞれの表示領域５０ａないし５０ｃ上部の対応する風車１４ａないし１４ｃが遊技球によって回転させられると、当該対応する表示領域５０ａないし５０ｃの停止図柄に示された図柄が変化するよう構成されている。当該図柄の変化について、例えば、図示しない風車の回転検知手段と図柄変動表示装置との連携により停止図柄に表示されたキャラクターや人物が、当該停止図柄が表示されている表示領域の上部の風車が回転すると、ニッコリ微笑むように構成することや、自分の頭に何かが当たって痛そうな顔をするように構成することが考えられる。
【００７１】
また第２実施例と同様に、前記誘導路１５の最終部位に相当する部分には、前記クリアプレートで構成される奥面６４に開口部を設けることによって当該誘導路１５によって分岐合流を繰り返した遊技球を上述した第１実施例と同様の構成の転動面６０上に排出する排出口１６ａないし１６ｃを形成するものである。
【００７２】
本第３実施例のパチンコ遊技機においては、前記ステージ構造６の左側面６１および右側面６２および天井面６３は装飾面等によって構成されるものである。
【００７３】
以下上記構成より成る本第３実施例のパチンコ遊技機の作用および効果について説明する。
【００７４】
上記構成より成る本第３実施例のパチンコ遊技機１は、前記ステージ構造６の左右の遊技領域３を複雑に流下している遊技球の一部が、前記導入口１１ａまたは１１ｂからステージ構造６内に導入され、前記連絡通路１２を介して前記落下部１３ａないし１３ｃへと導かれる。前記落下部１３ａないし１３ｃの開口は、上述したように、遊技球１個が通過できる程度のサイズに設定されているため、前記連絡通路１２へと導かれた遊技球の一部は、その速度等の諸条件に応じて早々に導入口に近い方の落下部から前記誘導路１５へと落下するものもあれば、中央の落下部１３ｂも通り越して反対側の落下部まで到達するものもある。さらには、連絡通路１２内の落下部近辺に一時的に遊技球が滞留する場合もあり、後から前記連絡通路１２内へ導入された遊技球と接触することを契機として、連なって一気に落下部から前記誘導路１５へと落下する場合もある。
【００７５】
前記落下部１３ａないし１３ｃから前記誘導路１５へと落下した遊技球は、複雑に分岐合流した経路１５１ないし１５４に沿って流下し、さらに、前記分岐点１５ａないし１５ｅに誘導された遊技球については、当該分岐点１５ａないし１５ｅに配設された前記風車１４ａないし１４ｅによって当該分岐点１５ａないし１５ｅの下部に左右に分岐した経路１５１、１５２に適宜振り分けられる。
【００７６】
またこの際に前記風車１４ａないし１４ｃが遊技球によって回転させられると、対応する前記表示領域５０ａないし５０ｃにタイミング良く停止した停止図柄が変化するとともに、当該回転した風車も、上述したように内蔵ＬＥＤにより光輝くものである。さらに、その後回転させられる下流の風車１４ｄおよび１４ｅも、回転によって光輝くように構成することもでき、また、当該回転によって図柄変動表示装置５の表示面５０に表示された図柄に何らかの変化を与えるように構成することも可能である。
【００７７】
振り分けられた遊技球は、対応する誘導路の最終部位たる前記排出口１６ａないし１６ｃから最終的に前記転動面６０上へと排出される。
【００７８】
上記作用を奏する本第３実施例のパチンコ遊技機は、前記導入口１１ａまたは１１ｂから導入された遊技球が、前記落下部１３ａないし１３ｃから前記転動面６０までを連絡する連絡部たる奥面６４に配設された風車１４ａないし１４ｅおよび分岐合流する経路１５１ないし１５４によって、当該連絡部を通過する際の遊技球の動きおよび方向に変化を与えるとともに、風車も回転するため、転動面以外の部分における遊技球の挙動も複雑ならしめ、全体として、ステージ構造内における遊技球の軌跡のバリエーションを豊かにするとともに、遊技者に対する視覚効果を高めるという効果を奏する。
【００７９】
また前記導入口１１ａまたは１１ｂより導入された遊技球が、前記ステージ構造６の前記奥面６４に配設された落下部１３ａないし１３ｃより落下するので、ステージ構造６内において遊技者の注意が最も注がれる中央部たる奥面６４において遊技球の挙動態様を効果的にアピールできるとともに、ステージ構造６内における遊技球の流下態様にバリエーションを持たせることが可能となるという効果を奏する。
【００８０】
さらに前記誘導路１５内を複雑に分岐合流して誘導された遊技球は、前記排出口１６ａないし１６ｃの単一ではない複数の排出口から前記転動面６０上へと排出されるため、当該転動面６０への遊技球の導入態様にもバリエーションを持たせることが可能となり、例えば、第２実施例同様、前記転動面６０に対して高確率入賞を狙いやすい経路で排出することや、それ以外の経路で排出すること等を可能にするとともに、ステージ構造の設定・設計に広がりや自由度を持たせることが可能となるという効果を奏する。
【００８１】
さらに本第３実施例のパチンコ遊技機においては、前記遊技領域３から遊技球をステージ構造６内に導入するための導入口１１ａまたは１１ｂを複数設けたので、遊技者にハンドル操作による打ち出し方向の選択をさせることが可能となり、さらに、『左右どちらの導入口から導入された遊技球がどの落下部から誘導路へ落下しどの排出口から転動面へと排出されるか』と、自己のハンドル操作により打ち出された遊技球の行方を追わせる楽しみを与え、遊技者の遊技への参加感を高めることができるという効果を奏する。
【００８２】
また本第３実施例のパチンコ遊技機においては、風車１４ａないし１４ｅと表示領域５０ａないし５０ｃおよびその他の表示面５０に表示された図柄等が連動するとともに、回転する風車が上述したように内蔵ＬＥＤにより光輝くため、遊技者の注意が最も注がれる中央部たる奥面６４において、効果的な演出および電飾効果を実現するとともに、『図柄が変化するのを見たい』または『風車が光輝くのを見たい』という願望から、遊技者が積極的に前記導入口１１ａまたは１１ｂからステージ構造６内へ遊技球を入球させようとするため、遊技者の遊技への参加感を高めるという効果を奏する。
【実施例４】
【００８３】
本第４実施例のパチンコ遊技機は、図１１ないし図１３に示すように、前記ステージ構造６の転動面としての天井面６３に落下部１３および風車が配設されている誘導路１５を配設した点が上述の第１実施例ないし第３実施例との主な相違点であり、以下相違点を中心に説明する。
【００８４】
図１１に示すように本第４実施例のパチンコ遊技機においては、前記落下部１３が、ステージ構造６上部の遊技領域３からステージ構造６内に遊技球を導入するための導入口１１ａおよび１１ｂ、ならびにステージ構造６の左右の遊技領域からステージ構造６内に遊技球を導入するための導入口１１ｃおよび１１ｄから導入された遊技球を前記ステージ構造６の前記天井面６３へと連絡する連絡通路１２ａないし１２ｄの合流地点に配設されているものである。
【００８５】
また図１１および図１３に示すように、本第４実施例のパチンコ遊技機においては、ステージ構造６の上部および左右両方向に遊技領域３を流下する遊技球を導入するための導入口１１ａないし１１ｄを配設するものである。当該導入口１１ａ、１１ｂから前記落下部１３へと遊技球を導く連絡通路１２ａ、１２ｂは、前記ステージ構造６上部に配設された横長半円形状の装飾板１７の裏面に略Ｖの字上に配設され、ステージ構造６の天井面６３の手前中央部の落下部１３の上流における合流部で合流するよう構成されている。さらに、前記連絡通路１２ｃ、１２ｄは、ステージ構造左右両端部に配設された１１ｃ、１１ｄから直線状に形成され、前記連絡通路１２ａ、１２ｂと同様に前記落下部１３の上流における合流部で合流するように構成される。
【００８６】
図１１ないし図１３に示すように、前記落下部１３の開口寸法は、第２実施例および第３実施例同様、遊技球１個が通過できる程度のサイズで形成され、また、当該落下部１３は、前記ステージ構造６の天井面６３とその裏面６３０との間に形成された所定の空間に向かって奥方向（遊技者と反対方向）に開口しているものである。
【００８７】
前記落下部１３の下流には、第２実施例および第３実施例と同様に、複数のクリアーな誘導壁１５０を組み合わせて、前記ステージ構造６の前傾して配設された天井面６３とその裏面６３０との間に形成された所定の空間内に複雑に分岐合流した複数の経路１５１ないし１５４を構成し、当該分岐合流経路１５１ないし１５４を用いて遊技球を誘導するための誘導路１５が形成されている。
【００８８】
また３個の風車１４ａないし１４ｃが、当該誘導路１５上の誘導路を分岐させる分岐点１５ａないし１５ｃにそれぞれ配設されているものである。当該３個の風車１４ａないし１４ｃは、前記ステージ構造６の前記天井面６３の裏面６３０に軸止されることで回転自在に平行に固定される。なお風車１４ａないし１４ｃの正円形の板金部は、前記天井面６３の対応する位置に形成された凹部内に回転自在に埋設され、当該板金部が、遊技球が前記天井面６３上を流下する際の段差による障害とならないよう配設されるものである。
【００８９】
ここで前記ステージ構造６の天井面６３は、クリアプレートによって構成され、当該天井面６３に配設された前記風車１４ａないし１４ｃおよび前記誘導壁１５１ないし１５４によって構成された誘導路１５を、遊技者が当該天井面６３を介して容易に視認できるように構成されている。
【００９０】
また図１１および図１２に示すように、本第４実施例のパチンコ遊技機１においては、前記天井面６３およびその裏面６３０が、ステージ構造６内の奥に向かって下るように傾斜したすなわち前傾した傾斜面によって構成され、遊技者が当該天井面６３等を視認しやすいように構成されているものである。
【００９１】
さらに第３実施例と同様に、前記風車１４ａないし１４ｃには図示しないＬＥＤと圧電素子が内蔵され、通過する遊技球によって風車が回転する際に、遊技球の衝突や風車の回転によって圧電素子が発電することによって風車が光輝くように構成されているものである。
【００９２】
また第２実施例と第３実施例と同様に、前記誘導路１５の最終部位に相当する部分には、前記クリアプレートで構成される天井面６３に開口部を設けることによって当該誘導路１５によって分岐合流した遊技球を前記転動面６０上に落下させる排出口１６ａないし１６ｃを形成するものである。
【００９３】
本第４実施例のパチンコ遊技機においては、前記排出口１６ａないし１６ｃより落下した遊技球は、第１実施例同様の構成の転動面６０を転動させるように構成され、前記ステージ構造６の左側面６１および右側面６２は装飾面によって構成され、奥面６４には図柄変動表示装置５が配設されるものである。
【００９４】
以下上記構成より成る本第４実施例のパチンコ遊技機の作用および効果について説明する。
【００９５】
上記構成より成る本第４実施例のパチンコ遊技機は、前記ステージ構造６の上部の遊技領域３に打ち出され流下する遊技球の一部が、前記装飾板１７の裏面に略Ｖの字状に配設された前記導入口１１ａまたは１１ｂからステージ構造６内に導入されるとともに、ステージの左右の遊技領域３より前記導入口１１ｃおよび１１ｄからステージ構造６内に導入され、前記連絡通路１２ａないし１２ｄを介して前記落下部１３へと導かれる。
【００９６】
前記落下部１３から前記誘導路１５へと落下した遊技球は、分岐合流する経路１５１ないし１５４に沿って流下し、さらに、前記分岐点１５ａないし１５ｃに誘導された遊技球については、当該分岐点１５ａないし１５ｃに配設された前記風車１４ａないし１４ｃによって当該分岐点１５ａないし１５ｃの下部に左右に分岐した経路１５１、１５２に適宜振り分けられる。
【００９７】
またこの際に、前記風車１４ａないし１４ｃが遊技球によって回転させられると、当該回転した風車が、上述したように内蔵ＬＥＤにより光輝くものである。
【００９８】
振り分けられた遊技球は、対応する誘導路の最終部位たる前記排出口１６ａないし１６ｃから最終的に前記転動面６０上へと落下排出される。
【００９９】
上記作用を奏する本第４実施例のパチンコ遊技機は、前記導入口１１ａないし１１ｄより導入された遊技球が、前記ステージ構造６の前記天井面６３に配設された落下部１３より落下するので、前記転動面６０のみならず、通常デッドスペースとなる天井面をも活用して遊技球の挙動態様を楽しむことができるとともに、遊技者の視覚に立体的にかつ効果的に訴えかけることが可能となるという効果を奏する。
【０１００】
また本第４実施例のパチンコ遊技機は、前記導入口１１ａないし１１ｄから導入された遊技球が、前記落下部１３から前記転動面６０までを連絡する連絡部たる天井面６３に配設された風車１４ａないし１４ｃおよび分岐合流する経路１５１ないし１５４によって、当該連絡部を通過する際の遊技球の動きおよび方向に変化を与えるとともに、風車も回転するため、転動面以外の部分における遊技球の挙動も複雑ならしめ、全体として、ステージ構造内における遊技球の軌跡のバリエーションを豊かにするとともに、遊技者に対する視覚効果を高めるという効果を奏する。
【０１０１】
さらに本第４実施例のパチンコ遊技機は、前記誘導路１５内を複雑に分岐合流して誘導された遊技球が、前記排出口１６ａないし１６ｃの複数の排出口から前記転動面６０上へと落下排出されるため、当該転動面６０への遊技球の導入態様にもバリエーションを持たせることが可能となり、例えば、第２実施例および第３実施例同様、前記転動面６０に対して高確率入賞を狙いやすい経路で排出することや、それ以外の経路で排出すること等を可能にするとともに、ステージ構造の設定・設計に広がりや自由度を持たせることが可能となるという効果を奏する。
【０１０２】
さらに本第４実施例のパチンコ遊技機においては、前記遊技領域３から遊技球をステージ構造６内に導入するための導入口をステージ構造左右上部に複数設けたので、従来の左打ちのみならず、遊技者に、ハンドル操作による打ち出し方向の選択をさせることが可能となり、さらに、通常はデッドスペースとなっていた天井面６３を遊技球が移動する様をクリアプレートで構成された当該天井面６３を介して視認可能であるため、遊技者は、積極的にステージ構造６上部からステージ構造６内に遊技球を入球させようとするため、遊技者に対して遊技への参加感を高めることができるという効果を奏する。
【０１０３】
また本第４実施例のパチンコ遊技機においては、前記風車１４ａないし１４ｃは、上述したように内蔵ＬＥＤにより光輝くため、通常ホールの照明が当たりにくく最も暗くなるステージ構造６の天井面６３において、効果的な電飾効果を奏することができるとともに、『天井面を遊技球が移動していく様を見たい』または『風車が光輝くのを見たい』という願望から、遊技者が積極的に前記導入口１１ａないし１１ｄからステージ構造６内へ遊技球を入球させようとするため、遊技者の遊技への参加感を高めるという効果を奏する。
【実施例５】
【０１０４】
本第５実施例のパチンコ遊技機は、図１４に示すように、転動面６０上に複数の風車１４ａないしｆを配設し、これらの風車を連動機構７００によって連動させる点が上述の第１実施例ないし第４実施例との主な相違点であり、以下相違点を中心に説明する。
【０１０５】
図１４に示すように、本第５実施例のパチンコ遊技機においては、ステージ構造６内の転動面６０が、中央に向かって傾斜した左転動面６００ａ、右転動面６００ｃ、前方（遊技者方向）に向かって傾斜した中央転動面６００ｂおよび段差部６００ｅによって構成され、すなわち左転動面６００ａおよび右転動面６００ｃは中央転動面６００ｂに向かって下るように傾斜する傾斜面によって構成されている。
【０１０６】
また前記段差部６００ｅは、遊技球が始動入賞口へ高確率で入賞しうるよう案内する図示しない高確率入賞ルートの入り口としてのワープ導入口９０ａおよび９０ｂを備え、前記ワープ導入口９０ａは、前記段差部９０の段上で前記奥面６４の一部に開口部を設けることで形成され、一方、前記ワープ導入口９０ｂは、前記段差部６００ｅと前記中央転動面６００ｂとの段差中央部に開口部を設けることで形成されるものである。
【０１０７】
さらに図１５に示すように、前記ワープ導入口９０ａおよび９０ｂの手前には、遊技球を当該ワープ導入口９０ａおよび９０ｂへと案内しうる所定の溝部９１ａおよび９１ｂが形成される。
【０１０８】
また図１４および図１５に示すように、風車１４ａおよび１４ｂが、前記左転動面６００ａに、風車１４ｃおよび１４ｄが、前記中央転動面６００ｂに、また、風車１４ｅおよび１４ｆが、前記右転動面６００ｃにそれぞれ２個ずつ所定間隔で直線状に列設されるものである。
【０１０９】
ここで図１５におけるＡ−Ａ線に沿った断面図である図１６に示すように、本第５実施例における風車１４ａないし１４ｆは、風車軸１４１と、当該風車軸１４１と一体的に回転するよう固設された円筒部材１４３と、当該円筒部材の外周面に１２０度間隔で突設された略台形板部材の羽根部１４０と、表面が装飾され、その裏面に前記円筒部材１４３および前記羽根部１４０の軸方向端部が固設された正円形の板金１４２とから構成される。
【０１１０】
また前記左転動面６００ａに配設された風車１４ａおよび１４ｂは、当該左転動面６００ａ内部で連動機構７００によって、その回転が連動するように構成されているものである。
【０１１１】
すなわち当該連動機構７００は、図１６および図１７に示すように、一対の風車の風車軸１４１の端部に固設された一対のギア部３０のギア歯３００と噛み合う歯部２００を内周面に刻設された連動ベルト２０とによって構成される。
【０１１２】
また図１６に示すように、前記転動面６００ａの風車１４ａおよび１４ｂが配設される部位には、前記風車軸１４１を回転自在に軸支するためのベアリング４０が配設され、前記風車軸１４１の軸方向中央付近で、かつ、前記ベアリング４０の上下に相当する部位に、スナップリング７０および７１を配設し、前記ベアリング４０に対する前記風車軸１４１の位置決めおよび姿勢固定をするものである。これは、図１５に示すように、風車１４ｃと１４ｄとの関係および風車１４ｅと１４ｆとの関係においても同様である。
【０１１３】
なお本第５実施例のパチンコ遊技機においては、前記ステージ構造６の左側面６１には、導入口１１ａから導入した遊技球を連絡する連絡通路１２ａおよびこれを転動面６０上に落下させる落下部１３ａを配設し、同様に、右側面６２には、導入口１１ｂから導入した遊技球を連絡する連絡通路１２ｂおよびこれを転動面６０上に落下させる落下部１３ｂを配設するものである。
【０１１４】
以下上記構成より成る本第５実施例のパチンコ遊技機の作用および効果について説明する。
【０１１５】
上記構成より成る本第５実施例のパチンコ遊技機は、遊技領域３を流下する遊技球が前記導入口１１ａまたは１１ｂから前記ステージ構造６の転動面６０上に左右両方向から遊技球が導入されると、前記転動面６００ａないし６００ｃおよび段差部６００ｅ上を左右方向および前後方向に転動または落下し、その過程で前記風車１４ａないし１４ｆのいずれかに接触および衝突し風車を回転させる。この際に、遊技球の接触により回転させられた風車と前記連動機構７００によって連動する他方の風車も連動して回転するものである。
【０１１６】
具体的には互いに連動する一方の風車の羽根部１４０に遊技球が接触・衝突し風車が回転すると、当該羽根部１４０が突設された前記円筒部材１４３やこれらに固設された前記板金１４２のみならず、当該円筒部材１４３に固設された風車軸１４１も一体的に回転するものである。したがって、当該風車軸１４１の端部に固設された前記ギア部３０も、前記風車軸１４１と一体的に回転するものであり、当該ギア部３０のギア歯３００と前記連動ベルト２０の内周面２００との噛み合いにより、一方の風車の当該ギア部３０の回転を当該連動ベルト２０を介して他方の風車のギア部３０と連動させ、風車の回転の連動を実現するものである。
【０１１７】
これにより例えば風車１４ａが遊技球によって回転させられた場合には、風車１４ｂも回転し、同様に、風車１４ｃが回転させられた場合には、風車１４ｄが、また、風車１４ｅが回転させられた場合には、風車１４ｆが連動して回転することとなる。
【０１１８】
また連動する一方の風車が、遊技球によって時計方向に回転させられた場合には、連動する他方の風車も時計方向に回転し、その逆に、一方の風車が半時計方向に回転させられた場合には、他方の風車も半時計方向に回転するものである。この時、他の遊技球が、例えば時計方向に連動回転している風車の一方に反時計方向に回転させられるような方向で接触、衝突すると、連動している風車は、反時計方向に連動回転し遊技球のその後の動きおよび方向に影響を与えるものである。
【０１１９】
転動面上へと導かれた遊技球の一部は、当該転動面上を転動しながら風車を回転させ、その転動方向を変えながら前記中央転動面６００ｂの手前部に配設された導出口６００ｄからステージ構造外へ排出される。または、一切風車を回転させないでそのまま転動しながら前記導出口６００ｄからステージ構造外へ排出される。
【０１２０】
さらに前記段差部６００ｅの段上へと導かれた遊技球の一部は、前記ワープ導入口９０ａへと導かれ、また当該段差部６００ｅから落下した遊技球も、回転もしくは回転連動した例えば風車１４ｃの回転により、または当該風車１４ｃと接触、衝突することにより前記ワープ導入口９０ｂへと導かれ図示しない高確率入賞ルートへと案内される。
【０１２１】
上記作用を奏する本第５実施例のパチンコ遊技機は、第１実施例同様、前記ステージ構造６の前記転動面６０上に複数の風車１４ａないし１４ｆを配設したので、遊技球が当該風車１４ａないし１４ｆに衝突する際のその衝突対象部材（円筒部材１４３や羽根部材１４０等）や、接触または衝突角度および衝突速度等に対応して、転動面６０上における遊技球の方向および速度の転動態様を多種多様なものとするため、もって興趣を向上し、遊技者に対する視覚効果を高めるという効果を奏する。
【０１２２】
また本第５実施例のパチンコ遊技機においては、複数の風車１４ａないし１４ｆを奥行き方向および左右方向に分散させて配設するとともに、これらの風車の回転を連動機構７００によって回転連動するようにしたので、遊技球が接触していない風車が連動回転するため遊技球に幅および奥行き感のある動きを持たせ、その転動態様による幅および深みのある演出効果を提供し得るとともに、転動面６０上に複数個遊技球が存在する場合において、これらの遊技球が前記風車１４ａないし１４ｆの存在により互いに接触、衝突したり回転したり、また風車同士が連動しているため、遊技球に対しても様々な有機的な影響を及ぼし合って、結果としてバリエーション豊かな転動態様および視覚効果を実現し得るという効果を奏する。
【０１２３】
さらに本第５実施例のパチンコ遊技機においては、前記連動機構７００によって風車の回転を連動するようにしたので、風車が単一で自由回転するのみの態様に比べ、遊技者にとって意外性を与え単調感を解消するとともに、斬新な視覚効果を実現し、さらには、風車が静止したり連動回転したりすることによる遊技球への影響力によって遊技球の転動態様のバリエーションをさらに豊かにするとゆう効果を奏する。
【実施例６】
【０１２４】
本第６実施例のパチンコ遊技機は、図１８ないし図２１に示すように、転動面６０上に複数の風車１４ａないし１４ｉを配設し、これらの風車のうち一部の風車を一方向にのみ回転可能に構成する点が上述の第１実施例ないし第５実施例との主な相違点であり、以下相違点を中心に説明する。
【０１２５】
図１８に示すように、本第６実施例のパチンコ遊技機は、ステージ構造６内の転動面６０が、前方（遊技者方向）に向かって下るように傾斜した傾斜面によって構成され、当該転動面６０手前部の３箇所に、遊技球をステージ構造６外部へ導出するための導出口６６ａ、６６ｂおよび６６ｃが配設される。これらの導出口のうち中央の前記導出口６６ｂの下部にのみ、図示しない始動入賞口が配設されるものである。
【０１２６】
また図１８および図１９に示すように、前記転動面６０上には、複数の風車１４ａないし１４ｉが配設され、例えば、これらのうち風車１４ｂおよび１４ｉは、反時計方向にのみ回転し、風車１４ｃおよび１４ｆは、時計方向にのみ回転するものである。すなわち風車１４ｂ、１４ｃ、１４ｆ、１４ｉは、例えばラチェット機構のような一方向ユニット８００によって、上述の所定の一方向にのみ回転可能に構成されている。他方、上述以外の図１９中回転方向の記載のない風車１４ａ、１４ｄ、１４ｅ、１４ｇおよび１４ｈは、どちらの方向にも回転自在に構成されているものである。
【０１２７】
ここで当該一方向ユニット８００は、時計方向の回転のみを許容するものを代表例として説明すると、図２０および図２１に示すように、枠体８１内に、風車１４ｃおよび１４ｆと一体的に回転するラチェットギア８０と、当該ラチェットギア８０の時計方向への回転を許容し、反時計方向への回転を阻止するラチェットストッパ８２と、当該ラチェットストッパの揺動を可能にするラチェットストッパ軸８３と、前記ラチェットストッパ８２を時計方向に一定の弱い付勢力によって付勢するスプリング部材８２ｓ、および前記ラチェットギア８０の中心部に貫挿された風車１４の風車軸１４１の軸端部を回転自在に支持するための軸受皿８４によって構成される。
【０１２８】
したがって風車１４ｃおよび１４ｆが時計方向に回転する時は、前記ラチェットギア８０が前記ラチェットストッパ８２を反時計方向に揺動させて回転可能であるが、逆に風車１４ｃおよび１４ｆが反時計方向に回転する時は、前記ラチェットギア８０と前記スプリング部材８２ｓによって付勢された前記ラチェットストッパ８２が係合して反時計方向への回転が阻止されるように構成されている。
【０１２９】
本第６実施例においては、第５実施例同様、図２０に示すように前記転動面６０の風車１４ａ、１４ｂ、１４ｆおよび１４ｉが配設される部位には、前記風車軸１４１を回転自在に軸支するためのベアリング４０が配設され、前記風車軸１４１の軸方向中央付近で、かつ、前記ベアリング４０の上下に相当する部位に、スナップリング７０および７１を配設し、前記ベアリング４０に対する前記風車軸１４１の位置決めおよび姿勢固定をするものである。一方、それ以外の回転自在な風車に関しては、第１実施例と同様の構成で転動面に配設するものである。
【０１３０】
なお本第６実施例のパチンコ遊技機において、第５実施例同様、前記ステージ構造６の左側面６１には、導入口１１ａから導入した遊技球を連絡する連絡通路１２ａおよびこれを転動面６０上に落下させる落下部１３ａを配設し、同様に、右側面６２には、導入口１１ｂから導入した遊技球を連絡する連絡通路１２ｂおよびこれを転動面６０上に落下させる落下部１３ｂを配設するものである。
【０１３１】
以下上記構成より成る本第６実施例のパチンコ遊技機の作用および効果について説明する。
【０１３２】
上記構成より成る本第６実施例のパチンコ遊技機は、発射され遊技領域３を流下する遊技球が前記導入口１１ａまたは１１ｂから前記ステージ構造６の転動面６０上に左右両方向から遊技球が導入されると、前記転動面６０を左右方向および前後方向に転動し、その過程で前記風車１４ａないし１４ｉのいずれかに接触および衝突する。この際の遊技球の転動軌跡の例を、図１９の１Ｋないし５Ｋにおいて例示する。
【０１３３】
図９中１Ｋで示されるルートの場合、前記落下部１３ａから転動面６０上に導入された遊技球が、例えば風車１４ｆの左羽根部（８時方向）に奥方向から衝突し、当該風車１４ｆが時計方向にのみ回転可能に構成されているため回転しない当該風車１４ｆから衝突の反発力を受け、転動面中央部へと戻される。そこで、風車１４ｅの右側をかすめるように前方（遊技者方向）へ転動し、前記転動面６０の中央に位置する前記導出口６６ｂからステージ構造６外へ導出される。
【０１３４】
また、２Ｋで示されるルートの場合、同様に前記落下部１３ａから転動面６０上に導入された遊技球が、まず風車１４ｉの左羽根部（８時方向）に奥方向から衝突すると、当該風車１４ｉが同様に反時計方向にのみ回転可能に構成されているため当該風車１４ｉから反発力を受けることなく風車１４ｉを反時計方向に回転させて、そのまま前記転動面６０の傾斜に沿って前方（遊技者方向）へ転動し、前記転動面６０の右側に位置する前記導出口６６ｃからステージ構造６外へ導出される。
【０１３５】
３Ｋで示されるルートの場合、同様に前記落下部１３ａから転動面６０上に遊技球が導入されるものの、いずれの風車にも衝突せず、そのまま前記転動面６０の傾斜に沿って前方（遊技者方向）へ転動し、転動面手前右側に位置する前記導出口６６ｃからステージ構造６外へ導出される。
【０１３６】
４Ｋで示されるルートの場合、前記落下部１３ｂから転動面６０上に導入された遊技球が、まず風車１４ｃの右羽根部（４時方向）に奥方向から衝突し、当該風車１４ｃが時計方向にのみ回転可能に構成されているため、当該風車１４ｃから反発力を受けることなく風車１４ｃを時計方向に回転させて、そのまま前記転動面６０の傾斜に沿って前方（遊技者方向）へ転動し、前記転動面６０の左側に位置する前記導出口６６ａからステージ構造６外へ導出される。
【０１３７】
５Ｋで示されるルートの場合、前記落下部１３ｂから転動面６０上に導入された遊技球が、風車１４ｂの右羽根部（４時方向）に奥方向から衝突し、当該風車１４ｂが反時計方向にのみ回転可能に構成されているため回転しない当該風車１４ｂから衝突の反発力を受け、転動面中央部へと戻される。そこで、風車１４ｅの左側をかすめるように前方（遊技者方向）へ転動し、前記転動面６０の中央に位置する前記導出口６６ｂからステージ構造６外へ導出される。
【０１３８】
上記作用を奏する本第６実施例のパチンコ遊技機は、第１実施例同様、前記ステージ構造６の前記転動面６０上に複数の風車１４ａないし１４ｉを配設したので、遊技球が当該風車１４ａないし１４ｉに衝突する際のその衝突対象部材（円筒部材１４３や羽根部材１４０等）や、どの風車のどの羽根部材にどの方向からどれくらいの勢いで接触または衝突したか等に対応して、転動面６０上における遊技球の方向および速度の転動態様および転動軌跡を多種多様なものとするため、もって興趣を向上し、遊技者に対する視覚効果を高めるという効果を奏する。
【０１３９】
また本第６実施例のパチンコ遊技機においては、複数の風車１４ａないし１４ｉを奥行き方向および左右方向に分散させて配設するとともに、これらの風車のうち風車１４ｂ、１４ｃ、１４ｆおよび１４ｉを前記一方向ユニット８００によって所定の一方向にのみ回転可能に構成したため、遊技球に対して衝突に対する反発力を付与するので、遊技球に幅および奥行き感のある動きを持たせ、その転動態様による幅および深みのある演出効果を提供し得るとともに、転動面６０上に複数個遊技球が存在する場合において、これらの遊技球が前記風車１４ａないし１４ｉの存在により互いに接触、衝突したり回転したり、時には反発力を受けて大きくその転動方向を反転させられたり、勢いを殺されたりと、風車および遊技球が様々な有機的な影響を及ぼし合って、結果としてバリエーション豊かな転動態様および視覚効果を実現し得るという効果を奏する。
【０１４０】
さらに本第６実施例のパチンコ遊技機においては、前記一方向ユニット８００によって風車１４ｂ、１４ｃ、１４ｆおよび１４ｉの回転を所定の一方向にのみ回転可能に構成したので、遊技球が通常の回転自在の風車に接触衝突した場合と異なる挙動を示すため、もって遊技者の興味を引き、興趣を高めるともに、残りの風車１４ａ、１４ｄ、１４ｇおよび１４ｈは、どちらの方向にも回転自在な風車を配設したので、一方向にのみ回転可能な風車と回転自在な風車が、同一転動面６０上に共存混在することにより、単一種類ではない構成の風車が複数存在するため、単なる回転自在の風車による移動方向の振り分けのみが行われる場合と異なり、導入口から導入された遊技球が、ある方向には当該風車が自由回転することによりスムーズに流下する一方、その反対方向に接触した場合には、風車の規制力（一方向のみ回転可能）によって障害物に衝突したかのような挙動を付与されるため、結果として遊技球の挙動態様に様々なバリエーションが生まれ、遊技者の視覚のみならずゲーム展開にも意外性を与え単調感を解消するという効果を奏する。
【０１４１】
上述の実施例は、説明のために例示したもので、本発明としてはそれらに限定されるものではなく、特許請求の範囲、発明の詳細な説明および図面の記載から当業者が認識することができる本発明の技術的思想に反しない限り、変更および付加が可能である。
【０１４２】
例えば上述した実施例において、ステージ構造６内の転動面６０、左側面６１、天井面６３または奥面６４のいずれか１面または２面に風車や誘導路等を配設する例について説明したが、本発明はこれらに限定されるものではなく、これらの単一面にのみ風車や誘導路等を配設するのみならず、ステージ構造を構成する複数面（右側面６２を含む）に同一または異なる構成で風車や誘導路等を配設する態様にも適用可能である。
【０１４３】
具体的には前記ステージ構造６内の左側面６１および右側面６２に風車や誘導路等を配設し、ステージ構造６の左右両方向から遊技球をステージ構造６内に導入することができる導入口を設けて、遊技者に遊技球の打ち出し方向の選択を可能とすることにより、遊技者への遊技の参加感を高めることができる。また、転動面６０、左側面６１、右側面６２、天井面６３および奥面６４の合計５面のうち、択一的に２面選択して、この２面に風車等を配設するその他の態様にも適用可能である。
【０１４４】
さらに前記ステージ構造６内の左側面６１、右側面６２および天井面６３の３面に風車や誘導路等を配設し、ステージ構造６の左右両方向および上部の３方向から遊技球をステージ構造６内に導入することができる導入口を設けて、さらに遊技者に対して遊技球の打ち出し方向の選択を可能とすることにより、遊技者への遊技の参加感を高めることができる。この態様においては、ステージ構造内の左右両方向および上部において遊技球が様々な態様で移動するので、遊技者の視覚に多面的に訴える様々な遊技球の挙動態様を提供することが可能となるとともに、結果としてさらに、転動面への遊技球の導入態様にもバリエーションを持たせることが可能となり、遊技者に対する視覚効果を一層高めるという効果を奏する。また、同様に、転動面６０、左側面６１、右側面６２、天井面６３および奥面６４の合計５面のうち、択一的に３面選択して、この３面に風車等を配設するその他の態様にも適用可能である。
【０１４５】
さらに前記ステージ構造６内の左側面６１、右側面６２、天井面６３および転動面６０の４面に風車や誘導路等を配設し、奥面６４にのみ風車等を設けず、代わりに図柄変動表示装置を配設することで、当該奥面６４においては、図柄変動表示装置による鮮明かつ効果的な演出表示を実現可能であり、また、ステージ構造内のその他の面全てを活用して遊技球が様々な態様で移動するので、遊技者の視覚に多面的に訴える様々な遊技球の挙動態様を提供することが可能となり、結果としてさらに、転動面への遊技球の導入態様にもバリエーションを持たせることが可能となるとともに、ステージ構造内におけるスペースの有効活用をしスペースの無駄を排除するとともに遊技者に対する視覚効果をなお一層高めるという効果を奏する。また、同様に、転動面６０、左側面６１、右側面６２、天井面６３および奥面６４の合計５面のうち、択一的に４面選択して、この４面に風車等を配設するその他の態様にも適用可能である。
【０１４６】
さらに本発明は、同様に前記５面全てに風車、誘導路等を配設する態様にも適用可能なことは言うまでもない。この態様においては、ステージ構造６内の全面に風車等を配設するため、最も視覚効果および電飾効果を高めるとともに、遊技球の挙動態様、転動面への導入態様および遊技球の転動態様のバリエーションをさらに豊かにし、ステージ構造内のスペースの有効活用度を高め、さらにステージ構造の設定および設計の自由度を広げるという効果を奏する。
【０１４７】
また上述の第２実施例ないし第４実施例において、ステージ構造内に風車を配設し、それと組み合わせて誘導路を配設する例について説明したが、本発明はこれらに限定されるものではなく、ステージ構造内に風車と段差部、釘、落下口、ワープ導入口、転動路または可動部材等を組み合わせて配設する態様にも適用可能である。
【０１４８】
さらに上述の第５実施例において、転動面上の複数の風車を連動機構により同方向に連動する例について説明したが、本発明はこれらに限定されるものではなく、２つの風車の軸端のプーリーにロープをたすきがけ（８の字状）して回転方向が互いに逆方向に連動回転させる態様や、ステージ構造内の複数の面に配設された風車を連動させる態様にも適用可能であり、この場合においては、さらに遊技者に意外感を与え、視覚効果を高めるとともに、軸の異なる面に存在する複数の風車の回転を連動させることもできるため、多面的かつ斬新な風車の回転態様を実現しうるという効果を奏する。
【０１４９】
また上述の第３実施例および第４実施例において、風車が回転すると圧電素子と内蔵ＬＥＤにより光輝く例について説明したが、本発明はこれらに限定されるものではなく、その他の実施例においても採用し得るとともに、その他の光源および構成も採用し得るものである。
【０１５０】
さらに上述の第２実施例ないし第４実施例において、前記左側面６１、前記奥面６４および前記天井面６３を透明なクリアプレートで構成したが一部に不透明プレートを用いることも可能であり、また前記誘導路１５等から遊技球が転動面上へ途中で落下することのないよう当該誘導路１５等に蓋をするような形で配設したが、当該クリアプレートまたは不透明プレートの一部を部分的に外し、積極的に前記誘導路１５等からランダムな位置から転動面へと遊技球が落下させ得るように構成した態様にも適用可能である。
【０１５１】
また上述の実施例において、前記奥面６４に図柄変動表示装置５を配設する例について説明したが、本発明はこれらに限定されるものではなく、図柄変動表示装置を配設しない態様にも適用可能である。
【０１５２】
さらに風車の構成について、１２０度間隔の３枚の羽根部を有する例について説明したが、本発明はこれらに限定されるものではなく、２枚またはその他の枚数の羽根部を有する風車を採用することもでき、例えば、図２２に示すように、４枚の羽根部によって風車を構成することも考えられる。
【０１５３】
また上述の第６実施例において、一方向ユニット８００にラチェットストッパ８２を反時計方向に付勢するスプリング部材８２ｓを設ける例について説明したが、本発明はこれらに限定されるものではなく、傾斜する面や、垂直面等に一方向ユニットを配設する場合において、当該スプリング部材８２ｓを配設せず、自重によって前記ラチェットストッパ８２が反時計方向に移動するよう当該ラチェットストッパ８２を前記ラチェットギア８０に対して高い位置に配設する態様にも適用可能である。この場合には、スプリング部材８２ｓを配設しないため、抵抗が少なく、よりスムーズな風車の回転を実現しうるとともに部品点数を減らすことが出来るのでコストダウンを可能にするという効果を奏する。
【０１５４】
さらに図２２に示すように、本発明は、始動入賞口７上部のステージ構造の転動面手前部分に、複数の一方向ユニットによって所定の一方向にのみ回転可能な風車１４をほとんど隙間なく敷きつめて配設する態様にも適用可能である。
【０１５５】
また上述の第５実施例および第６実施例において、それぞれ前記連動機構７００または前記一方向ユニット８００を独立して採用する例について説明したが、これらの連動機構７００および一方向ユニット８００を組み合わせて採用する態様にも適用可能であり、この場合には、ある風車が所定の一方向には回転可能であるものの、その反対方向には回転不能で、遊技球に対して反発力を与えるとともに、回転した場合には、その他の風車とも連動するとゆう、遊技者にとって更なる意外性を与えるとともに高い視覚効果を実現し、もってさらに興趣を高めることができるという効果を奏する。
【０１５６】
さらに本発明において転動面とは、遊技球が転動する面であればどのような面でもよく、例えば前記ステージ構造が略球形状で構成される場合において当該略球形状の内周面を遊技球が転動する場合には当該略球形状の内周面も転動面の概念に含まれるものであり、また本発明はステージ構造が当該略球形状で構成されるこのような態様にも適用可能である。
【産業上の利用可能性】
【０１５７】
打ち出された遊技球が流下する遊技領域を有するパチンコ遊技機において、前記遊技領域内に配設され、前記遊技領域を流下する遊技球をステージ内に導入するための導入口と、前記導入口から導入された遊技球を落下させる落下部と、該落下部から落下した遊技球が転動する転動面と、遊技球をステージから導出する導出口を有するステージ構造を備え、風車が、前記ステージ構造内に少なくとも一つ配設され、前記ステージ構造内に少なくとも一つ配設された前記風車によって、ステージ構造内を転動する遊技球の動きおよび方向に変化を与えるとともに、風車も回転するため、ステージ構造内における遊技球の挙動態様を多種多様なものとし、もって興趣を向上させるとともに、遊技者に対する視覚効果を高めるという用途に適用できる。
【図面の簡単な説明】
【０１５８】
【図１】本発明の第１実施例のパチンコ遊技機におけるステージ構造の全体を示す斜視図である。
【図２】本第１実施例のパチンコ遊技機の全体を示す正面図である。
【図３】本第１実施例のステージ構造内部における遊技球の転動軌跡の一例を説明するための部分拡大平面図である。
【図４】本第１実施例の転動面上に配設された風車の平面図、およびその側面図である。
【図５】本発明の第２実施例のステージ構造の全体を示す斜視図である。
【図６】本第２実施例のステージ構造の左側面を示す側面図である。
【図７】本第２実施例のステージ構造を上部から見た平面図である。
【図８】本発明の第第３実施例のステージ構造の全体を示す斜視図である。
【図９】本第３実施例のステージ構造を右側から見た側面図である。
【図１０】本第３実施例のステージ構造を上部から見た平面図である。
【図１１】本発明の第４実施例のステージ構造の全体を示す斜視図である。
【図１２】本第４実施例のステージ構造を右側から見た側面図である。
【図１３】本第４実施例のステージ構造の天井面を下側から見上げた平面図である。
【図１４】本発明の第５実施例のステージ構造の全体を示す斜視図である。
【図１５】本第５実施例のステージ構造を上部から見た平面図である。
【図１６】本第５実施例の風車および連動機構を示す図１５中Ａ−Ａ線に沿った断面図である。
【図１７】本第５実施例の連動機構を下方から見た平面図である。
【図１８】本発明の第６実施例のステージ構造の全体を示す斜視図である。
【図１９】本第６実施例のステージ構造における遊技球の転動態様の例を説明するための平面図である。
【図２０】本第６実施例の風車および一方向ユニットを示す図１９中Ａ−Ａ線に沿った断面図である。
【図２１】本第６実施例の一方向ユニットを示す図２０中Ｂ−Ｂ線に沿った断面図である。
【図２２】本発明の変形例のステージ構造内に配設された風車を示す説明図である。
【図２３】従来のパチンコ遊技機を示す説明図である。
【符号の説明】
【０１５９】
１  パチンコ遊技機
３  遊技領域
５  図柄変動表示装置
６  ステージ構造
１４  風車
６０  転動面
７００  連動機構
８００  一方向ユニット
【図１】
2010179055.tif 000003
【図２】
2010179055.tif 000004
【図３】
2010179055.tif 000005
【図４】
2010179055.tif 000006
【図５】
2010179055.tif 000007
【図６】
2010179055.tif 000008
【図７】
2010179055.tif 000009
【図８】
2010179055.tif 000010
【図９】
2010179055.tif 000011
【図１０】
2010179055.tif 000012
【図１１】
2010179055.tif 000013
【図１２】
2010179055.tif 000014
【図１３】
2010179055.tif 000015
【図１４】
2010179055.tif 000016
【図１５】
2010179055.tif 000017
【図１６】
2010179055.tif 000018
【図１７】
2010179055.tif 000019
【図１８】
2010179055.tif 000020
【図１９】
2010179055.tif 000021
【図２０】
2010179055.tif 000022
【図２１】
2010179055.tif 000023
【図２２】
2010179055.tif 000024
【図２３】
2010179055.tif 000025